(57)【要約】【課題】光学変換素子の冷却効率を良好にできる光学装置４４を提供すること。【解決手段】光学装置４４は、複数の液晶パネル５１と、これら液晶パネル５１で変調された各色光を光束入射端面から導入して合成するクロスダイクロイックプリズム５４と、液晶パネル５１および光束入射端面の間に配置され偏光フィルム５３１が形成されたサファイア板を有する偏光板５３とを備え、クロスダイクロイックプリズム５４の各光束入射端面に交差する一対の端面の少なくとも一方に設けられサファイア板５３２が接続される熱伝導性を有する台座５４２を有し、この台座５４２は、該台座５４２が設けられる端面の面外方向に変形可能な材料を含んで構成され、この光学装置４４を用いるプロジェクタ１の外装ケース２内に収納したときに、この台座５４２が外装ケース２内面に付勢状態で当接する。【選択図】            図１２
2004170512.tif 000002
【特許請求の範囲】
【請求項１】
複数の色光を各色光毎に画像情報に応じて変調する複数の光変調装置と、これら光変調装置で変調された各色光を光束入射端面から導入して合成する色合成光学装置と、前記光変調装置および前記光束入射端面の間に配置され当該光変調装置から射出された光束の光学特性を変換する光学変換膜が形成された基板を有する光学変換素子とを備える光学装置であって、
前記色合成光学装置の各光束入射端面に交差する一対の端面の少なくとも一方に設けられ前記光学変換素子の基板が接続される熱伝導性を有する台座を備え、
この台座は、該台座が設けられる端面の面外方向に変形可能な材料を含んで構成され、当該光学装置を用いる光学機器の外装筐体内に収納したときに、この台座が前記外装筐体内面に付勢状態で当接することを特徴とする光学装置。
【請求項２】
請求項１に記載の光学装置において、
前記台座は、弾性部材からなることを特徴とする光学装置。
【請求項３】
請求項１に記載の光学装置において、
前記台座は、前記光学変換素子の基板が接続される金属部材と、この金属部材に設けられ当該台座が設けられる端面の面外方向に変形可能な弾性部材とを備えていることを特徴とする光学装置。
【請求項４】
複数の色光を各色光毎に画像情報に応じて変調する複数の光変調装置、これら光変調装置で変調された各色光を光束入射端面から導入して合成する色合成光学装置、前記光変調装置および前記光束入射端面の間に配置され当該光変調装置から射出された光束の光学特性を変換する光学変換膜が形成された基板を有する光学変換素子を備える光学装置と、この光学装置および前記複数の色光の光路上に配置される複数の光学部品を収納する光学部品用筐体とを備えた光学ユニットであって、
前記光学装置は、請求項１から３のいずれかに記載の光学装置とされ、
前記光変調装置は、光変調を行う光変調素子と、この光変調素子を内部に収納する凹部が形成された熱伝導性を有する保持枠とを備えるとともに、前記光学部品用筐体に接続され、
前記光学変換素子および前記光変調装置の放熱経路は、それぞれ独立していることを特徴とする光学ユニット。
【請求項５】
請求項４に記載の光学ユニットにおいて、
前記光変調装置は、断熱性を有するスペーサを介して、前記光学変換素子に取り付けられていることを特徴とする光学ユニット。
【請求項６】
請求項４または５に記載の光学ユニットにおいて、
前記光学部品用筐体は、熱伝導性を有する放熱部を含んで構成され、
前記保持枠は、弾性部材を含む熱伝導性を有する接続部材により、前記放熱部と接続されていることを特徴とする光学ユニット。
【請求項７】
請求項６に記載の光学ユニットにおいて、
前記放熱部は、前記光学部品用筐体の内側に突出しかつ前記保持枠の側面に沿って延びるリブ状部材を備え、
前記接続部材は、前記保持枠の側面および前記リブ状部材に沿って延びていることを特徴とする光学ユニット。
【請求項８】
請求項７に記載の光学ユニットにおいて、
前記接続部材の前記保持枠側端部は、前記保持枠の凹部を塞ぐように曲折していることを特徴とする光学ユニット。
【請求項９】
請求項７または８に記載の光学ユニットにおいて、
前記リブ状部材は、前記保持枠の外側面より外側に該保持枠を挟んで一対ずつ設けられ、
前記接続部材は、前記保持枠の外側面および前記リブ状部材の内側面に接合されていることを特徴とする光学ユニット。
【請求項１０】
請求項７または８に記載の光学ユニットにおいて、
前記リブ状部材は、前記保持枠の外側面より内側に一対ずつ設けられ、
前記接続部材は、前記保持枠および前記リブ状部材の外側面に接続されていることを特徴とする光学ユニット。
【請求項１１】
請求項７から１０のいずれかに記載の光学ユニットにおいて、
前記接続部材は、前記保持枠の外側面に焼き付けにより接合されかつ前記リブ状部材に粘着材により接合されていることを特徴とする光学ユニット。
【請求項１２】
請求項１１に記載の光学ユニットにおいて、
前記接続部材を前記リブ状部材に接続する前においては、前記接続部材は、前記リブ状部部材との接合面とは反対側に湾曲していることを特徴とする光学ユニット。
【請求項１３】
請求項６に記載の光学ユニットにおいて、
前記放熱部は、前記光学部品用筐体の内側に突出しかつ前記保持枠の側面に沿って延びるリブ状部材を備え、
前記接続部材は、前記保持枠の側面および前記放熱部に沿って延びる金属製の板状または棒状の本体と、この本体および前記保持枠の間に介在配置される弾性部材とを備えていることを特徴とする光学ユニット。
【請求項１４】
請求項６から１３のいずれかに記載の光学ユニットにおいて、
前記リブ状部材は、前記保持枠に対して進退可能に設けられていることを特徴とする光学ユニット。
【請求項１５】
光源から射出された光束を画像情報に応じて変調して光学像を形成し、拡大投射するプロジェクタであって、
請求項４から１４のいずれかに記載の光学ユニットを備えていることを特徴とするプロジェクタ。
【発明の詳細な説明】
【０００１】
【発明の属する技術分野】
本発明は、複数の色光を画像情報に応じて変調する光変調装置と、この変調された色光を合成する色合成光学装置と、前記光変調装置から射出された光束の光学特性を変換する光学変換素子とを備える光学装置、この光学装置を備えた光学ユニット、および、この光学ユニットを備えたプロジェクタに関する。
【０００２】
【背景技術】
従来より、光源から出射された光束をダイクロイックミラーによって三原色の赤、緑、青の色光に分離するとともに、三枚の液晶パネルにより各色光毎に画像情報に応じて変調し、画像変調後の各色光をクロスダイクロイックプリズムで合成し、投写レンズを介してカラー画像を拡大投写する、いわゆる三板式のプロジェクタが知られている。
このようなプロジェクタでは、クロスダイクロイックプリズムの光束入射端面に、液晶パネルで変調された各色光の偏光方向を揃える偏光板等の光学変換素子が設けられている。
ここで、光源からの光束の照射によって偏光板が発熱するため、ピンを用いて液晶パネルと偏光板との間に隙間を形成し、この隙間に空冷ファン等を用いて冷却空気を導入することにより強制的に冷却している（例えば、特許文献１参照）。
【０００３】
【特許文献１】
特開２０００−２２１５８８号参照
【０００４】
【発明が解決しようとする課題】
ところで、近年、プロジェクタの小型化、低騒音化、および高輝度化が要請されている。したがって、光学装置の偏光板で発生する熱量が増大するにもかかわらず、冷却ファンの小型化や設置数量の削減により冷却空気量が減少することとなり、偏光板等の光学変換素子に発生する熱を速やかに放熱できない場合があった。
【０００５】
本発明の目的は、光学変換素子の冷却効率を良好にできる光学装置、光学ユニット、およびプロジェクタを提供することにある。
【０００６】
【課題を解決するための手段】
本発明の光学装置は、複数の色光を各色光毎に画像情報に応じて変調する複数の光変調装置と、これら光変調装置で変調された各色光を光束入射端面から導入して合成する色合成光学装置と、前記光変調装置および前記光束入射端面の間に配置され当該光変調装置から射出された光束の光学特性を変換する光学変換膜が形成された基板を有する光学変換素子とを備える光学装置であって、前記色合成光学装置の各光束入射端面に交差する一対の端面の少なくとも一方に設けられ前記光学変換素子の基板が接続される熱伝導性を有する台座を備え、この台座は、該台座が設けられる端面の面外方向に変形可能な材料を含んで構成され、当該光学装置を用いる光学機器の外装筐体内に収納したときに、この台座が前記外装筐体内面に付勢状態で当接することを特徴とする。
【０００７】
ここで、台座としては、天然ゴムや合成ゴム等で形成されたものを採用できる。また、光学変換素子としては、基板と、この基板の上に設けられた光学変換膜とを備える構成が採用できる。基板としては、サファイア、石英ガラス、水晶、螢石等が挙げられる。光学変換膜としては、偏光膜や、視野角補正膜、位相差膜等が挙げられる。さらに、このような光学変換素子は、１枚だけの構成に限らず、２以上の複数枚を含んだ構成としてもよい。
【０００８】
この発明によれば、例えば、光学装置を光学部品とともに光学部品用筐体に収納し、さらにこの光学部品用筐体を光学機器の外装筐体に収納する。ここで、光学装置に台座を設けたので、複数の色光によって光学変換素子に発生する熱は台座を介して外装筐体に伝わって放熱される。したがって、光学変換素子の冷却効率を向上できる。
また、台座で前記外装筐体を付勢したので、台座および色合成光学装置で前記筐体内面を突っ張ることにより、光学装置を前記外装筐体内に確実に固定できる。
【０００９】
本発明では、前記台座は、弾性部材からなることが好ましい。
この発明によれば、例えば、光学機器の外装筐体に外部から衝撃が加わっても、台座が弾性変形して衝撃を緩和するので、光学装置の耐久性を向上できる。
【００１０】
本発明では、前記台座は、前記光学変換素子の基板が接続される金属部材と、この金属部材に設けられ当該台座が設けられる端面の面外方向に変形可能な弾性部材とを備えていることが好ましい。
色合成光学装置と光学機器の外装筐体との間の寸法により、台座の高さが高くなる場合がある。このとき、台座を弾性部材のみで形成すると、光学機器に外部から衝撃が加わった場合、台座の弾性歪みが大きくなり、色合成光学装置等が損傷するおそれがある。しかし、この発明によれば、台座の高さが高くなっても、弾性部材と剛性の高い金属部材とを適宜組み合わせることにより、外部からの衝撃による弾性ひずみを所定限度内にでき、光学装置の耐衝撃性を確実に確保できる。
また、金属部材を含んで台座を構成したので、金属部材で高い熱伝導効率を確保できるから、光学装置の冷却効率をさらに向上できる。
【００１１】
本発明の光学ユニットは、複数の色光を各色光毎に画像情報に応じて変調する複数の光変調装置、これら光変調装置で変調された各色光を光束入射端面から導入して合成する色合成光学装置、前記光変調装置および前記光束入射端面の間に配置され当該光変調装置から射出された光束の光学特性を変換する光学変換膜が形成された基板を有する光学変換素子を備える光学装置と、この光学装置および前記複数の色光の光路上に配置される複数の光学部品を収納する光学部品用筐体とを備えた光学ユニットであって、前記光学装置は、請求項１から３のいずれかに記載の光学装置とされ、前記光変調装置は、光変調を行う光変調素子と、この光変調素子を内部に収納する凹部が形成された熱伝導性を有する保持枠とを備えるとともに、前記光学部品用筐体に接続され、前記光学変換素子および前記光変調装置の放熱経路は、それぞれ独立していることを特徴とする。
【００１２】
ここで、光変調素子としては、ガラスなどからなる駆動基板と対向基板とが、シール材を介して所定間隔を空けて貼り合わせられ、両基板間に液晶が注入された構成を有する液晶パネル等を採用できる。また、保持枠としては、例えば、カーボン、チタン、アルミニウム、フッ化ケイ素等を添加した熱伝導性樹脂を採用できる。また、光学部品用筐体としては、アルミニウム、マグネシウム、またはこれらを含有する合金等の熱伝導率の高い金属製のものを採用できる。さらに、光学部品用筐体としては、合成樹脂製の筐体本体に熱伝導率の高い金属を取り付けて構成したものでもよい。
【００１３】
この発明によれば、例えば、光学ユニットを光学機器の外装筐体に収納することにより、光学変換素子で発生した熱を台座を介して外装筐体に伝えて放熱できるとともに、光変調素子で発生した熱を保持枠を介して光学部品用筐体に伝えて放熱できる。したがって、光学装置で発生する熱を２つの経路で放熱できるから、光学装置の冷却効率を向上できる。
【００１４】
本発明では、前記光変調装置は、断熱性を有するスペーサを介して、前記光学変換素子に取り付けられていることが好ましい。
ここで、スペーサとしては、アクリルやウレタン等で形成されたものを採用できる。
この発明によれば、光学変換素子および光変調素子で温度差が生じた場合でも、発生した熱が互いに移動するのを防止できるから、より冷却効率を向上できる。
【００１５】
本発明では、前記光学部品用筐体は、熱伝導性を有する放熱部を含んで構成され、前記保持枠は、弾性部材を含む熱伝導性を有する接続部材により、前記放熱部と接続されていることが好ましい。
ここで、接続部材としては、天然ゴムや合成ゴム等で形成されたものを採用できる。
【００１６】
この発明によれば、光変調素子で発生した熱を、保持枠および接続部材を介して光学部品用筐体の放熱部に伝えて放熱できる。このとき、保持枠に熱が伝わることにより、保持枠は接続部材で拘束された状態で膨張、収縮する。そのため、保持枠で保持された光変調素子の色合成光学装置に対する相対位置がずれてしまい、画素ずれが発生するおそれがある。しかし、接続部材が弾性を有しているので、接続部材が弾性変形することによって保持枠に生じる応力を低減できるから、光変調素子が色合成光学装置に対して相対移動するのを防止して、投写映像の画素ずれを防止できる。
なお、接続部材の断面積は、できるだけ大きい方が好ましい。このようにすれば、熱抵抗は接続部材の断面積に反比例するため、接続部材の熱伝導性を向上できる。また、接続部材の保持枠に対する接続面と放熱部に対する接続面との間の寸法は、できるだけ短い方が好ましい。このようにすれば、保持枠からの熱を放熱部に迅速に伝えることができるから、熱伝導性を向上できる。
【００１７】
本発明では、前記放熱部は、前記光学部品用筐体の内側に突出しかつ前記保持枠の側面に沿って延びるリブ状部材を備え、前記接続部材は、前記保持枠の側面および前記リブ状部材に沿って延びていることが好ましい。
この発明によれば、保持枠の側面および放熱部のリブ状部材に対する接続部材の接触面積を増大できるから、熱伝導効率を向上でき、さらに冷却効率を向上できる。
【００１８】
本発明では、前記接続部材の前記保持枠側端部は、前記保持枠の凹部を塞ぐように曲折していることが好ましい。
この発明によれば、接続部材が保持枠の側面のみならず端面にも接触するから、接続部材の保持枠に対する接触面積を大きく確保でき、冷却効率を向上できる。また、接続部材が保持枠の端面に係合することになるため、接続部材を確実に保持枠に接続できるうえに、光変調素子からの光漏れを防止できる。
【００１９】
本発明では、前記リブ状部材は、前記保持枠の外側面より外側に該保持枠を挟んで一対ずつ設けられ、前記接続部材は、前記保持枠の外側面および前記各リブ状部材の内側面に接合されていることが好ましい。
この発明によれば、光変調素子で発生した熱を、保持枠から２つの接続部材およびリブ状部材を介して、光学部品用筐体の放熱部に伝えて放熱できるため、保持枠から１つのリブ状部材および接続部材を介して放熱する場合に比べ、冷却効率を向上できる。
【００２０】
本発明では、前記リブ状部材は、前記保持枠の外側面より内側に一対ずつ設けられ、前記接続部材は、前記保持枠および前記各リブ状部材の外側面に接続されていることが好ましい。
保持枠の外側面およびリブ状部材の内側面に接続部材を接合した場合には、保持枠およびリブ状部材が熱膨張することにより接続部材が押圧され、ねじれが生じる。しかし、この発明によれば、接続部材のリブ状部材に対する接続面と保持枠に対する接続面とが同一面にあるので、保持枠およびリブ状部材が熱膨張しても、接続部材にねじれが生じない。
【００２１】
本発明では、前記接続部材は、前記保持枠の外側面に焼き付けにより接合されかつ前記リブ状部材に粘着材により接合されていることが好ましい。
この発明によれば、接続部材を簡単に保持枠やリブ状部材に取り付けることができる。
【００２２】
本発明では、前記接続部材を前記リブ状部材に接続する前においては、前記接続部材は、前記リブ状部材との接合面とは反対側に湾曲していることが好ましい。
ここで、接続部材は、どのような方法で製造されてもよく、例えば、材料を湾曲形状の型で型抜きする方法や、直線状の材料を湾曲させる方法を採用できる。この発明によれば、例えば、光学ユニットの組み立て工程は次のようになる。まず、接続部材の一端側を保持枠に接続する。すると、接続部材はリブ状部部材との接合面とは反対側に湾曲しているため、他端側はリブ状部材との接続位置から離隔した状態となる。この状態から、光学装置を光学部品用筐体に取り付け、その後、接続部材を曲げて他端側をリブ状部材に接続する。したがって、光学装置を光学部品用筐体に取り付ける際に、接続部材がリブ状部材に接触するおそれがないから、光学ユニットの組み立て能率を向上できる。
【００２３】
本発明では、前記放熱部は、前記光学部品用筐体の内側に突出しかつ前記保持枠の側面に沿って延びるリブ状部材を備え、前記接続部材は、前記保持枠の側面および前記放熱部に沿って延びる金属製の板状または棒状の本体と、この本体および前記保持枠の間に介在配置される弾性部材とを備えていることが好ましい。ここで、例えば、弾性部材を合成ゴムで形成し、本体を金属や熱伝導樹脂で形成する構成を採用できる。
この発明によれば、保持枠およびリブ状部材に対して弾性部材で確実に接続しつつ、本体で高い熱伝導効率を確保できるから、冷却効率をさらに向上できる。
【００２４】
本発明では、前記リブ状部材は、前記保持枠に対して進退可能に設けられていることが好ましい。
この発明によれば、伝達された熱によって接続部材が熱膨張しても、リブ状部材が保持枠に対して進退することにより、接続部材の熱膨張による変形が吸収される。したがって、保持枠が接続部材で押圧されるのを防止できるから、投写映像の画素ずれの発生をより確実に防止できる。
【００２５】
本発明のプロジェクタは、光源から射出された光束を画像情報に応じて変調して光学像を形成し、拡大投射するプロジェクタであって、請求項４から１４のいずれかに記載の光学ユニットを備えていることを特徴とする。
この発明によれば、上述した光学装置および光学ユニットと同様の効果を奏することができる。したがって、プロジェクタの小型化、低騒音化および高輝度化を図ることができる。
【００２６】
【発明の実施の形態】
〔１．第１実施形態〕
以下、本発明の第１実施形態に係るプロジェクタを図面に基づいて説明する。
〔１−１．プロジェクタの主な構成〕
図１は、本発明の第１実施形態に係るプロジェクタ１を上方から見た全体斜視図、図２は、図１の状態からアッパーケース２１を外した分解斜視図である。
プロジェクタ１は、全体略直方体形状の外装ケース２と、プロジェクタ１内に滞留する熱を冷却する冷却ユニット３と、光源から射出された光束を光学的に処理して画像情報に対応した光学像を形成する光学ユニット４とを備えて構成されている。
なお、図２において、具体的な図示を省略するが、外装ケース２内の光学ユニット４以外の空間には、電源ブロックやランプ駆動回路等が収納される。
外装ケース２は、それぞれ金属で構成され、プロジェクタ１の天面、前面、および側面をそれぞれ構成するアッパーケース２１と、プロジェクタ１の底面、側面、および背面をそれぞれ構成するロアーケース２２とで構成されている。これらのケース２１，２２は互いにねじで固定されている。
【００２７】
アッパーケース２１は、上面部２１１と、その周囲に設けられた側面部２１２と、背面部２１３と、正面部２１４で形成されている。
上面部２１１には、後述する光学装置の上方に位置し、前記冷却ユニット３によって外部から冷却空気を吸引するための吸気口２１１Ａが設けられている。
側面部２１２（正面から見て右側面）には、前記冷却ユニット３によって、プロジェクタ１内部で温められた空気を排出するための排気口２１２Ａが設けられている。
【００２８】
背面部２１３には、具体的な図示は省略するが、コンピュータ接続用の接続部や、ビデオ入力端子、オーディオ機器接続端子等の各種の機器接続用端子が設けられており、該背面部２１３の内側には、映像信号等の信号処理を行う信号処理回路が実装されたインターフェース基板が配置されている。
正面部２１４には、切欠部２１４Ａが形成されており、前記ロアーケース２２と組み合わされた状態で、円形の開口部２Ａを形成し、この開口部２Ａから、外装ケース２内部に配置された光学ユニット４の一部が、外部に露出している。この開口部２Ａを通して光学ユニット４で形成された光学像が射出され、スクリーン上に画像が表示される。
【００２９】
ロアーケース２２は、底面部２２１と、その周囲に設けられた側面部２２２と、背面部２２３と、正面部２２４で形成されている。
底面部２２１には、図示は省略するが、前記光学ユニット４の下方に位置し、後述する光源装置を着脱する開口部が形成されており、該開口部には、ランプカバーが嵌め込み式で着脱可能に設けられている。
正面部２２４には、切欠部２２４Ａが形成され、前記アッパーケース２１と組み合わされた状態で、上述した切欠部２１４Ａと連続して円形の開口部２Ａを形成する。
【００３０】
冷却ユニット３は、プロジェクタ１の内部に形成される冷却流路に冷却空気を送り込み、プロジェクタ１内で発生する熱を冷却するものであり、光学ユニット４の光源装置４１１の近傍に位置し、アッパーケース２１の上面部２１１に形成された吸気口２１１Ａから冷却空気を導入し、光学ユニット４内およびプロジェクタ１内の空気を引き寄せ、アッパーケース２１の側面部２１２に形成された排気口２１２Ａから温められた空気を排出するシロッコファン３１を備えて構成されている。
【００３１】
光学ユニット４は、光源装置４１１から射出された光束を、光学的に処理して画像情報に対応した光学像を形成するユニットであり、図２に示すように、ロアーケース２２の右側の側面部２２２から背面部２２３に沿って、さらに、左側の側面部２２２に沿って正面部２１４へと延びる平面略Ｌ字形状を有している。
具体的な図示は省略するが、この光学ユニット４は、電源ケーブルを通して電力が供給され、供給された電力を該光学ユニット４の光源装置４１１に供給するための電源装置と電気的に接続している。
また、この光学ユニット４の上方には、画像情報に応じた光学像を投写するために、画像情報を取り込んで制御および演算処理等を行い、後述する光変調装置となる各液晶パネル５１Ｒ，５１Ｇ，５１Ｂを制御する制御基板が配置される。
【００３２】
〔１−２．光学系の詳細な構成〕
図３は、光学ユニット４を上方から見た全体斜視図である。
図４は、光学ユニット４内の光学系を模式的に示す平面図である。
光学ユニット４は、図４に示すように、インテグレータ照明光学系４１、色分離光学系４２、リレー光学系４３、光学装置４４、および投写レンズ４６と、これら光学部品４１〜４６を収納する光学部品用筐体としてのライトガイド４７とを備えている。
図４において、インテグレータ照明光学系４１は、光学装置４４を構成する３枚の液晶パネル５１（赤、緑、青の色光毎にそれぞれ液晶パネル５１Ｒ，５１Ｇ，５１Ｂと示す）の画像形成領域をほぼ均一に照明するための光学系であり、光源装置４１１と、第１レンズアレイ４１２と、第２レンズアレイ４１３と、偏光変換光学素子４１４と、重畳レンズ４１５とを備えている。
【００３３】
これらのうち、光源装置４１１は、放射状の光線を射出する光源ランプ４１６と、この光源ランプ４１６から射出された放射光を反射する楕円面鏡４１７と、光源ランプ４１６から射出され楕円面鏡４１７により反射された光を平行光とする平行化凹レンズ４１１Ａとを備える。なお、平行化凹レンズ４１１Ａの平面部分には、図示しないＵＶフィルタが設けられている。また、光源ランプ４１６としては、ハロゲンランプやメタルハライドランプ、高圧水銀ランプが多用される。さらに、楕円面鏡４１７および平行化凹レンズ４１１Ａの代わりに、放物面鏡を用いてもよい。
【００３４】
また、第１レンズアレイ４１２、第２レンズアレイ４１３、および偏光変換光学素子４１４は、一体的に組み合わされて筐体内に設置固定される。
第１レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル５１の画像形成領域の形状とほぼ相似形をなすように設定されている。たとえば、液晶パネル５１の画像形成領域のアスペクト比（横と縦の寸法の比率）が４：３であるならば、各小レンズのアスペクト比も４：３に設定する。
【００３５】
第２レンズアレイ４１３は、第１レンズアレイ４１２と略同様な構成を有しており、小レンズがマトリクス状に配列された構成を有している。この第２レンズアレイ４１２は、重畳レンズ４１５とともに、第１レンズアレイ４１２の各小レンズの像を液晶パネル５１上に結像させる機能を有している。
【００３６】
偏光変換光学素子４１４は、第２レンズアレイ４１３と重畳レンズ４１５との間に配置されるとともに、第２レンズアレイ４１３と一体でユニット化されている。このような偏光変換光学素子４１４は、第２レンズアレイ４１３からの光を１種類の偏光光に変換するものであり、これにより、光学装置４４での光の利用効率が高められている。
【００３７】
具体的に、偏光変換光学素子４１４によって１種類の偏光光に変換された各部分光は、重畳レンズ４１５によって最終的に光学装置４４の液晶パネル５１Ｒ，５１Ｇ，５１Ｂ上にほぼ重畳される。偏光光を変調するタイプの液晶パネルを用いたプロジェクタでは、１種類の偏光光しか利用できないため、ランダムな偏光光を発する光源ランプ４１６からの光のほぼ半分を利用することができない。
そこで、偏光変換光学素子４１４を用いることにより、光源ランプ４１６からの射出光をほぼ１種類の偏光光に変換し、光学装置４４での光の利用効率を高めている。なお、このような偏光変換光学素子４１４は、たとえば特開平８−３０４７３９号公報に紹介されている。
【００３８】
色分離光学系４２は、２枚のダイクロイックミラー４２１，４２２と、反射ミラー４２３とを備え、ダイクロイックミラー４２１，４２２によりインテグレータ照明光学系４１から射出された複数の部分光束を赤、緑、青の３色の色光に分離する機能を有している。
【００３９】
リレー光学系４３は、入射側レンズ４３１、リレーレンズ４３３、および反射ミラー４３２、４３４を備え、色分離光学系４２で分離された色光、赤色光を液晶パネル５１Ｒまで導く機能を有している。
【００４０】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って青色用の液晶パネル５１Ｂに達する。このフィールドレンズ４１８は、第２レンズアレイ４１３から射出された各部分光束をその中心軸（主光線）に対して平行な光束に変換する。他の液晶パネル５１Ｇ，５１Ｒの光入射側に設けられたフィールドレンズ４１８も同様である。
【００４１】
ダイクロイックミラー４２１を透過した赤色光と緑色光のうちで、緑色光はダイクロイックミラー４２２によって反射し、フィールドレンズ４１８を通って緑色用の液晶パネル５１Ｇに達する。一方、赤色光はダイクロイックミラー４２２を透過してリレー光学系４３を通り、さらにフィールドレンズ４１８を通って赤色光用の液晶パネル５１Ｒに達する。なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。
なお、リレー光学系４３には、３つの色光のうち、赤色光を通す構成としたが、これに限らず、例えば、青色光を通す構成としてもよい。
【００４２】
光学装置４４は、３枚の光変調素子としての液晶パネル５１Ｒ，５１Ｇ，５１Ｂと、色合成光学装置としてのクロスダイクロイックプリズム５４と、各液晶パネル５１Ｒ，５１Ｇ，５１Ｂとクロスダイクロイックプリズム５４との間に配置された光学変換素子としての偏光板５３とを備えている。
３枚の液晶パネル５１Ｒ，５１Ｇ，５１Ｂ、これらの光束入射側にある偏光板４４２、および光束射出側にある偏光板５３は、色分離光学系４２で分離された複数の色光を、色光毎に画像情報に応じて変調するものである。クロスダイクロイックプリズム５４は、３枚の液晶パネル５１Ｒ，５１Ｇ，５１Ｂで変調された各色光を、光束入射端面５４Ａから導入して合成し、光束射出端面５４Ｂから射出するものである。なお、光学装置４４の具体的な構造については、後に詳述する。
投写レンズ４６は、クロスダイクロイックプリズム５４から射出された光束を、スクリーン上に拡大投写する。
【００４３】
〔１−３．光学部品用筐体の構造〕
上述した各光学系４１〜４４は、図３に示すように、光学部品用筐体としての金属製のライトガイド４７内に収容されている。
ライトガイド４７は、底面、前面、および側面をそれぞれ構成する下ライトガイド４８と、この下ライトガイド４８の上部の開口側を閉塞する蓋状の上ライトガイド４９とで構成されている。
【００４４】
図５は、ライトガイド４７の内部を示す平面図である。
図６は、下ライトガイド４８を下方から見た全体斜視図である。
下ライトガイド４８は、光源装置４１１を収納する光源装置収納部６１と、上記各光学部品４１１Ａ，４１２〜４１５，４２〜４４を収納する光学部品収納部６２と、上記投写レンズ４６を設置する投写光学系設置部６３とを備えて構成されている。
【００４５】
光源装置収納部６１は、図６に示すように、下方が開放され、かつ、内側面に矩形状の開口部６１１を有する箱形形状を有している。図３に示すように、光源装置４１１を固定板６１２に載置固定し、上記光源装置収納部６１の下方から挿入することにより、光源装置４１１が光源装置収納部６１に収納される。
【００４６】
固定板６１２の一部は切欠かれており、この固定板６１２と上記光源装置収納部６１に形成された開口部６１１とにより、光源装置４１１の前方部分が閉塞状態となり、後方部分が吹き抜け状態となっている。
この光源装置４１１の前方部分における閉塞状態により、光源装置４１１から射出される光束を外部に漏洩することを防止することができ、後方部分における吹き抜け状態により、光源装置収納部６１内部に光源装置４１１に発生する熱が滞留しないような構造となっている。
【００４７】
光学部品収納部６２は、図５に示すように、側面部６２Ａと、底面部６２Ｂとを備えて構成されている。
側面部６２Ａの内側には、平行化凹レンズ４１１Ａ、第１レンズアレイ４１２、第２レンズアレイ４１３、偏光変換光学素子４１４、重畳レンズ４１５、入射側レンズ４３１、反射ミラー４３２、およびリレーレンズ４３３を上方からスライド式に嵌め込むための溝が形成されている。
また、側面部６２Ａの正面部分には、光学装置４４からの光束射出位置に対応して、投写レンズ４６を嵌め込むための円形の孔が形成されている。
【００４８】
底面部６２Ｂには、ダイクロイックミラー４２１および第２レンズアレイ４３３を支持するためのボスが突設されているほか、光学装置４４の液晶パネル５１の光束入射側にある偏光板４４２を支持する偏光板ホルダが底面から突設されている。
また、底面部６２Ｂには、偏光変換光学素子４１４を主に冷却するための吸気口６２１と、光学装置４４の液晶パネル５１位置に対応して形成された排気口６２２が形成されている。
さらに、図６に示すように、底面部６２Ｂの裏面には、下ライトガイド４８とロアーケース２２の底面部２２１が当接した状態で、上記排気口６２２から排出された空気を外部へと導く隙間としてのダクト６２３が形成されている。
【００４９】
上ライトガイド４９は、図３に示すように、光学装置４４の上方部分を除き、上記下ライトガイド４８の上部開口部分を閉塞するものであり、さらに、上記下ライトガイド４８の溝によって支持されない光学部品、反射ミラー４２３、ダイクロイックミラー４２２、反射ミラー４３４を支持するものである。
【００５０】
また、底面部６２Ｂには、図５に示すように、光学装置４４の各液晶パネル５１の両側には、それぞれ一対の熱伝導性を有する放熱部７０が設けられ、弾性部材で形成された熱伝導性を有する接続部材７２により、後述する保持枠５２と接続されている。
【００５１】
図７は、放熱部７０および接続部材７２の斜視図である。
放熱部７０は、ライトガイド４７の内側に突出しかつ保持枠５２の側面に沿って延びるリブ状部材７１を備えている。リブ状部材７１は、アルミニウム合金等の金属や熱伝導性樹脂等の熱伝導率の高い材料から形成されて、保持枠５２の外側面より内側に、保持枠５２に対して進退可能に設けられている。また、リブ状部材７１は、下ライトガイド４８の底面部６２Ｂに沿った取付部７１１と、この取付部に立設された壁部７１２とを含んで構成されている。
【００５２】
図７において、リブ状部材７１は、その取付部７１１に設けられた挿通孔７１３を通して、ねじ７３、座金７４、弾性リング７５、およびナット７６によって下ライトガイド４８の底面部６２Ｂに取り付けられている。
弾性リング７５は、ゴムや合成樹脂等の弾性材料から構成され、挿通孔７１３と略同一の外径および、ねじ７３の軸に密着する内径を有したリング状に形成されている。
座金７４は、挿通孔７１３よりも外径が大きく形成され、ねじ７３にナット７６を締めた状態において、取付部７１１の上下方向への移動を規制するものである。
以上のようなリブ状部材７１は、底面部６２Ｂに沿って弾性リング７５の変形量に応じて進退移動可能に、かつ、弾性リング７５の弾性力により所定の取付位置に復帰可能に取り付けられている。
【００５３】
接続部材７２は、保持枠５２の側面およびリブ状部材７１に沿って延びており、熱伝導性および弾性を有する材料、ここでは合成ゴムで形成されて、リブ状部材７１の壁部７１２の外側面と保持枠５２の外側面に接続される。
ここで、接続部材７２は、保持枠５２に焼き付けで接着されるとともに、リブ状部材７１に粘着材としての熱伝導性を有する接着剤で接着されている。なお、接着方法としては、これに限らず、熱伝導性を有する両面テープを用いてもよく、また、その他の接着方法を用いてもよい。
【００５４】
〔１−４．光学装置の構造〕
図８は、光学装置４４を上方から見た全体斜視図である。
図９は、光学装置４４の分解斜視図である。
なお、図９は、光学装置４４の分解を液晶パネル５１Ｂ側で行った図である。他の液晶パネル５１Ｒ，５１Ｇ側は液晶パネル５１Ｂ側と同様であるため説明を省略する。
光学装置４４は、光源ランプ４１６から射出された光束を画像情報に応じて変調し、この変調された各色光を合成し、光学像として投写するものであり、クロスダイクロイックプリズム５４と、光変調装置５０と、偏光板５３と、台座５４１，５４２とを備えている。
【００５５】
クロスダイクロイックプリズム５４は、偏光板５３を透過した各色光を合成するものであって、箱状とされ、側面に３つの光束入射端面５４Ａおよび１つの光束射出端面５４Ｂを有しており、これら端面５４Ａ，５４Ｂに交差する一対の端面に台座５４１，５４２が設けられる。
なお、クロスダイクロイックプリズム５４には、赤色光を反射する誘電体多層膜と青色光を反射する誘電体多層膜とが、４つの直角プリズムの界面に沿って略Ｘ字状に形成され、これらの誘電体多層膜によって３つの色光が合成される。
【００５６】
光変調装置５０は、クロスダイクロイックプリズム５４の光束入射端面５４Ａ側に配置され、光源ランプ４１６から射出された光束を画像情報に応じて変調する液晶パネル５１Ｒ，５１Ｇ，５１Ｂと、各液晶パネル５１Ｒ，５１Ｇ，５１Ｂを保持する保持枠５２とを備えて構成され、保持枠５２と偏光板５３との間にスペーサ５５が介装されている。
【００５７】
液晶パネル５１Ｂは、ＴＦＴのスイッチング素子がマトリックス状に配列し、該スイッチング素子によって電圧が印加される画素電極を備えた駆動基板５１１と、画素電極に対応して対向電極を備えた対向基板５１２とを備え、これら基板５１１，５１２の間に液晶が封入されて、さらに、これらの基板５１１，５１２の間から制御用ケーブル５１３が延びている。
駆動基板５１１および対向基板５１２の表面には、光透過性の射出側防塵板５１４および入射側防塵板５１５が固着されている。射出側防塵板５１４および入射側防塵板５１５は、サファイアや石英等の熱伝導性のよい板体から構成され、液晶パネル５１の光束射出側および光束入射側において、投写レンズ４６のバックフォーカス位置から液晶パネル５１のパネル面の位置をずらして、光学的にパネル表面に付着したゴミを目立たなくする機能を有している。
制御用ケーブル５１３には、図示を省略するが、その両面に熱伝導性樹脂等からフィルム状に形成された熱伝導被覆が設けられている。
【００５８】
保持枠５２は、熱伝導性を有する四角枠状とされている。保持枠５２は、中央部分に凹部５２１を有し、この凹部５２１に液晶パネル５１が収納されることにより、液晶パネル５１の外周を保持するものである。また、凹部５２１には、収納された液晶パネル５１のパネル面に対応する位置に、開口部５２２が形成されている。
ここで、各液晶パネル５１Ｒ，５１Ｇ，５１Ｂは、保持枠５２の開口部５２２で露出し、この部分が画像形成領域となる。すなわち、各液晶パネル５１Ｒ，５１Ｇ，５１Ｂのこの部分に各色光Ｒ，Ｇ，Ｂが導入され、画像情報に応じて光学像が形成される。
【００５９】
次に、保持枠５２に接続部材７２を接続する方法について説明する。
（ａ）接続部材７２は、リブ状部材７１との接合面とは反対側に予め湾曲した形状とされている。この接続部材７２を、一端側で保持枠５２に取り付けて光学装置と一体化させると、他端側はリブ状部材７１との接続位置から離隔した状態となる。
（ｂ）次に、接続部材７２が固定された光学装置４４を、ライトガイド４７に取り付ける。このとき、リブ状部材７１との接続位置から離れた位置に接続部材７２の他端側があるため、光学装置４４を容易に取り付けできる。これにより、図７中二点鎖線で示すような状態となる。
（ｃ）その後、図７中矢印で示すように、接続部材７２を曲げて略直線状とし、他端側をリブ状部材７１の外側面に接続する。
【００６０】
スペーサ５５は、図９に示すように、保持枠５２と偏光板５３のサファイア板５３２との間に介在し、偏光板５３に取り付けられて保持枠５２を支持するものである。具体的には、スペーサ５５は、アクリルやウレタン等の断熱性を有した樹脂類で形成された円筒形状とされ、各保持枠５２の光束射出側端面の四隅に４つずつ（計１２個）配置される。
【００６１】
偏光板５３は、各液晶パネル５１Ｒ，５１Ｇ，５１Ｂとクロスダイクロイックプリズム５４との間に配置され、各液晶パネル５１Ｒ，５１Ｇ，５１Ｂから射出された各色光の偏光方向を揃える機能を有する。この偏光板５３は、基板としてのサファイア板５３２と、このサファイア板５３２の略中央部に貼り付けられた光学特性を変換する光学変換膜としての偏光フィルム５３１とを含んで構成されている。なお、基板としてサファイア板を用いているが、水晶、石英ガラス、または螢石等を採用してもよい。
また、偏光板５３のサファイア板５３２は、クロスダイクロイックプリズム５４の上下面に台座５４１が固定された状態における側面と略同一の大きさに形成され、各台座５４１，５４２の側面に接続されている。
【００６２】
台座５４１は、クロスダイクロイックプリズム５４の下面に取り付けられ、台座５４２は、クロスダイクロイックプリズム５４の上面に取り付けられる。これら台座５４１，５４２は、外周形状はクロスダイクロイックプリズム５４と略同一形状とされ、光学装置４４をライトガイド４７または外装ケース２に固定するものである。
このうち、台座５４１は、熱伝導率の高いアルミニウムで構成され、外周形状はクロスダイクロイックプリズム５４と略同一である。なお、台座５４１は、アルミニウムで構成されているが、これに限らず、マグネシウム合金、銅等の熱伝導率の高い材料、若しくは、サファイア、水晶、螢石、熱伝導性樹脂等で形成されていてもよい。
【００６３】
台座５４２は、熱伝導性を有しかつこの台座５４２が設けられる端面の面外方向に変形可能な材料、ここでは合成ゴム等の弾性部材で形成されている。なお、台座５４２は、これに限らず、天然ゴムや、熱伝導性樹脂等で形成されていてもよい。この台座５４２は、プロジェクタ１の外装ケース２に収納したときに、外装ケース２に付勢状態で当接するようになっている。
【００６４】
〔１−５．冷却ユニットによる冷却構造〕
図１０は、パネル冷却系Ａの冷却流路を示す図である。
図１１は、光源冷却系Ｂの冷却流路を示す図である。
図１２は、パネル冷却系Ａおよび光源冷却系Ｂの冷却流路を示す断面図である。
本実施形態のプロジェクタ１では、光学装置４４を主に冷却するパネル冷却系Ａと、光源装置４１１を主に冷却する光源冷却系Ｂとを備えている。
パネル冷却系Ａでは、図１０に示すように、アッパーケース２１の上面部２１１に形成された吸気口２１１Ａから、光学装置４４の上方まで冷却空気が導かれる。ここで、上ライトガイド４９は、光学装置４４の上面が露出するように、下ライトガイド４８の上面に設置されているので、導入された冷却空気をライトガイド４７内に取り込むことができる。
【００６５】
図１２に示すように、ライトガイド４７内に取り込まれた冷却空気は、台座５４１の上面を冷却しつつ、スペーサ５５によって形成された偏光板５３と保持枠５２との間の隙間、または保持枠５２の光束入射側に入り込み、各液晶パネル５１Ｒ，５１Ｇ，５１Ｂの光束射出側および光束入射側、保持枠５２、偏光板４４２，５３、および偏光板５３の表面の偏光フィルム５３１を冷却し、下ライトガイド４８の底面部６２Ｂに形成された排気口６２２を通過して、ライトガイド４７外部へと排出される。
【００６６】
下ライトガイド４８の底面部６２Ｂに形成された排気口６２２を通過した空気は、図６に示すように、下ライトガイド４８がロアーケース２２の底面部２２１と当接した状態で形成されるダクト６２３に導かれ、光学ユニット４の前方側に送風される。
図１０に示すように、光学装置４４を冷却し、ダクト６２３を介して光学ユニット４の前方側に送風された空気は、最終的に光源装置４１１の近傍に配置されたシロッコファン３１に引き寄せられ、アッパーケース２１の側面部２１２に形成された排気口２１２Ａを通して排出される。
【００６７】
ここで、パネル冷却系Ａによる冷却空気は、光学装置４４を冷却する役割のみならず、液晶パネル５１Ｒ，５１Ｇ，５１Ｂの表面に吹きつけられることで、パネル表面に付着した塵等を吹き飛ばす役割をも有している。パネル冷却系Ａにより、液晶パネル５１Ｒ，５１Ｇ，５１Ｂの表面を常に清浄することができるから、プロジェクタ１において、安定した画質の光学画像をスクリーン等に投写できるようになる。
【００６８】
光源冷却系Ｂでは、図１１に示すように、光源装置４１１の近傍に設けられたシロッコファン３１が用いられる。
シロッコファン３１の吸気口は、下ライトガイド４８の光源装置収納部６１の側面に形成された開口部６１１と、光源装置４１１を載置固定する固定板６１２とで形成される矩形状の隙間に対向配置されている。
【００６９】
上記パネル冷却系Ａによってライトガイド４７内に入り込んだ冷却空気は、光学装置４４を冷却して下ライトガイド４８の底面部６２Ｂに形成された排気口６２２を通過してライトガイド４７の外部に排出されるだけでなく、シロッコファン３１により、ライトガイド４７内および吸気口６２１を通って光源装置４１１の後方側へと引き寄せられる。
このシロッコファン３１によって引き寄せられる過程で、一体化された第１レンズアレイ４１２、第２レンズアレイ４１３および偏光変換光学素子４１４間を通ってこれらを冷却した後、光源装置４１１内に入り込んで光源ランプ４１６および楕円面鏡４１７を冷却している。
この際、特に偏光変換光学素子４１４は、光源ランプ４１６からの光束が照射されることで大量の熱を発生するため、この偏光変換光学素子４１４を冷却することは、光学ユニット４の安定稼動および耐久性向上の面で有効である。
【００７０】
上記偏光変換光学素子４１４や光源装置４１１を冷却した空気は、下ライトガイド４８の光源装置収納部６１の側面に形成された開口部６１１と光源装置４１１を載置固定する固定板６１２とで形成される矩形状の隙間を通って、シロッコファン３１に吸引され、アッパーケース２１の側面部２１２に形成された排気口２１２Ａを通して排出される。
【００７１】
〔１−６．光学装置の放熱構造〕
本実施形態のプロジェクタ１では、光学装置４４の冷却において、上記冷却ファンによる強制冷却だけでなく、光学装置４４の構造によって放熱経路が確保されている。
以下には、図５、図９および図１２を参照して、光学装置４４の放熱経路について説明する。
【００７２】
光源装置４１１からの光束の照射により、光学装置４４の液晶パネル５１Ｒ，５１Ｇ，５１Ｂおよび光束射出側の偏光フィルム５３１には熱が発生する。
液晶パネル５１を収納する保持枠５２と、偏光フィルム５３１をサファイア板５３２に貼り付けて構成された偏光板５３とが、断熱性を有した樹脂類から構成されたスペーサ５５によって互いの熱の伝達が遮断されているため、各液晶パネル５１Ｒ，５１Ｇ，５１Ｂおよび偏光フィルム５３１に発生した熱の放熱経路はそれぞれ独立しており、以下それぞれの放熱経路について順に説明する。
【００７３】
先ず、各液晶パネル５１Ｒ，５１Ｇ，５１Ｂの放熱経路について説明する。
液晶パネル５１は、射出側防塵板５１４および入射側防塵板５１５と熱伝導被覆が施された制御用ケーブル５１３と接続されており、該液晶パネル５１に発生した熱は、射出側防塵板５１４および入射側防塵板５１５と熱伝導被覆とに分かれて放熱される。
射出側防塵板５１４および入射側防塵板５１５は、ライトガイド４７内の内部空気と接触し、かつ、液晶パネル５１が収納保持される保持枠５２と接続されており、上記パネル冷却系Ａによる冷却空気との熱交換とともに、保持枠５２へと放熱される。
また、熱伝導被覆は、ライトガイド４７内の内部空気と接触し、図１２に示すように、上ライトガイド４９およびアッパーケース２１の上面部２１１と接続されており、上記パネル冷却系Ａによる冷却空気との熱交換とともに、ライトガイド４７および外装ケース２へと放熱される。
【００７４】
また、保持枠５２は、ライトガイド４７内の内部空気と接触し、かつ、該保持枠５２の外周面で接続部材７２と接続されており、該保持枠５２に伝達された熱は、上記パネル冷却系Ａによる冷却空気との熱交換とともに、接続部材７２へと放熱される。
接続部材７２は、ライトガイド４７内の内部空気と接触し、かつ、下ライトガイド４８に取り付けられたリブ状部材７１の壁部７１２と接続されており、該接続部材７２に伝達された熱は、上記パネル冷却系Ａによる冷却空気との熱交換とともに、リブ状部材７１へと放熱される。
【００７５】
リブ状部材７１は、ライトガイド４７内の内部空気と接触し、かつ、該リブ状部材７１の取付部７１１を介して下ライトガイド４８の底面部６２Ｂと接続されており、該リブ状部材７１に伝達された熱は、上記パネル冷却系Ａによる冷却空気との熱交換とともに、ライトガイド４７へと放熱される。
ライトガイド４７は、プロジェクタ１内の内部空気と接触しており、ライトガイド４７に伝達された熱は、プロジェクタ１内の内部空気と熱交換が行われ、上記シロッコファン３１によって、外部へと排出される。
【００７６】
次に、偏光フィルム５３１の放熱経路について説明する。
偏光フィルム５３１は、液晶パネル５１と同様にライトガイド４７内の内部空気と接触し、偏光板５３のサファイア板５３２と接続されており、該偏光フィルム５３１に発生した熱は、上記パネル冷却系Ａによる冷却空気との熱交換とともに、サファイア板５３２へと放熱される。
サファイア板５３２は、ライトガイド４７内の内部空気と接触し、クロスダイクロイックプリズム５４の上下面に固定された台座５４１，５４２と接続されており、該サファイア板５３２に伝達された熱は、上記パネル冷却系Ａによる冷却空気との熱交換とともに、台座５４１，５４２へと放熱される。
【００７７】
クロスダイクロイックプリズム５４の上方に固定された台座５４２は、ライトガイド４７内の内部空気と接触するとともに、外装ケース２を付勢しており、台座５４２に伝達された熱は、上記パネル冷却系Ａによる冷却空気と熱交換が行われる同時に、外装ケース２を介して放熱される。
クロスダイクロイックプリズム５４の下方に固定された台座５４１は、下ライトガイド４８の底面部６２Ｂと接続されており、下方に固定された台座５４１に伝達された熱は、ライトガイド４７へと放熱される。
ライトガイド４７は、プロジェクタ１内の内部空気と接触しており、ライトガイド４７に伝達された熱は、プロジェクタ１内の内部空気と熱交換が行われ、上記シロッコファン３１によって、外部へと排出される。
【００７８】
〔１−７．第１実施形態の効果〕
上述のような本実施形態によれば、次のような効果がある。
（１）光学装置４４を光学部品とともにライトガイド４７に収納し、さらに、このライトガイド４７をプロジェクタ１の外装ケース２に収納する。このとき、光学装置４４に台座５４１，５４２を設けたので、光源装置４１１からの光束の照射によって偏光板５３に発生する熱が、台座５４１，５４２を介してライトガイド４７や外装ケース２に伝わって、放熱される。したがって、台座のみを介して放熱する場合に比べ、偏光板５３の冷却効率を向上できる。
また、台座５４２で外装ケース２を付勢したので、台座５４１と台座５４２とで外装ケース２内面を突っ張って、光学装置４４を外装ケース２に確実に固定できる。
【００７９】
（２）台座５４２は弾性を有しているため、例えば、プロジェクタ１の外装ケース２に外部から衝撃が加わっても、台座５４２が弾性変形して衝撃を緩和するから、光学装置４４の耐久性を向上できる。
【００８０】
（３）光学ユニット４を、光学装置４４、ライトガイド４７を含んで構成したので、光学ユニット４をプロジェクタ１の外装ケース２に収納することにより、偏光板５３で発生した熱を、台座５４１，５４２を介してライトガイド４７やプロジェクタ１の外装ケース２に伝えて放熱できるとともに、液晶パネル５１Ｒ，５１Ｇ，５１Ｂで発生した熱を、保持枠５２、接続部材７２およびリブ状部材７１を介してライトガイド４７に伝えて放熱できる。したがって、光学装置４４で発生する熱を２つの経路で放熱できるから、光学装置４４の冷却効率を向上できる。
【００８１】
（４）スペーサ５５は断熱性を有しているので、偏光板５３および液晶パネル５１Ｒ，５１Ｇ，５１Ｂで温度差が生じた場合でも、発生した熱が互いに移動するのを防止できるから、より冷却効率を向上できる。
【００８２】
（５）保持枠５２に熱が伝わることにより、保持枠５２は接続部材７２で拘束された状態で膨張、収縮するが、接続部材７２が弾性を有しているため、接続部材７２が弾性変形することによって、保持枠５２に生じる応力を低減できる。よって、液晶パネル５１Ｒ，５１Ｇ，５１Ｂがクロスダイクロイックプリズム５４に対して相対移動するのを防止して、投写映像の画素ずれを防止できる。
【００８３】
（６）リブ状部材７１を、ライトガイド４７の内側に突出しかつ保持枠５２の側面に沿って延びる形状とし、接続部材７２を、保持枠５２の側面およびリブ状部材７１に沿って延びる形状としたので、保持枠５２の側面およびリブ状部材７１に対する接続部材７２の接触面積を増大できるから、熱伝導効率を向上でき、さらに冷却効率を向上できる。
【００８４】
（７）リブ状部材７１を保持枠５２の外側面より外側に一対ずつ設けたので、液晶パネル５１Ｒ，５１Ｇ，５１Ｂで発生した熱を、保持枠５２から２つの接続部材７２およびリブ状部材７１を介して、ライトガイド４７の放熱部７０に伝えて放熱できるため、保持枠５２から１つのリブ状部材および接続部材を介して放熱する場合に比べ、冷却効率を向上できる。
【００８５】
（８）接続部材７２を、保持枠５２の外側面に焼き付けにより接合するとともに、リブ状部材７１に熱伝導性を有する接着剤で接合したので、接続部材７２を簡単に保持枠５２やリブ状部材７１に取り付けることができる。
【００８６】
（９）接続部材７２をリブ状部材７１との接合面とは反対側に湾曲した形状としたので、接続部材７２を一端側で光学装置４４の保持枠５２に取り付けた後、この光学装置４４をライトガイド４７に取り付ける。その後、接続部材７２を曲げて略直線状として、他端側をリブ状部材７１の外側面に接続できる。したがって、光学装置４４をライトガイド４７に取り付ける際に、接続部材７２がリブ状部材７１に接触するおそれがないから、光学ユニット４の組み立て能率を向上できる。
【００８７】
（１０）リブ状部材７１を保持枠５２に対して進退可能に設けたので、接続部材７２が伝達された熱によって熱膨張し、その端部がリブ状部材７１へ向って移動することとなっても、リブ状部材７１が下ライトガイド４８の底面部６２Ｂに沿って進退移動することにより、接続部材７２の熱膨張による変形が吸収される。したがって、保持枠５２が接続部材７２によって押圧されるのを防止できるから、投写映像の画素ずれの発生をより確実に防止できる。
【００８８】
（１１）プロジェクタ１に光学ユニット４を設けたので、プロジェクタの小型化、低騒音化および高輝度化を図ることができる。
【００８９】
〔２．実施形態の変形〕
なお、本発明は、前述の実施形態に限定されるものではなく、以下に示すような変形を含むものである。
例えば、前記実施形態では、接続部材７２を、リブ状部材７１の外側面および保持枠５２の外側面に接続したが、これに限らない。すなわち、図１３に示すように、接続部材７２Ａを、リブ状部材７１の外側面および保持枠５２の内側面に接続してもよい。
【００９０】
また、前記実施形態では、接続部材７２を保持枠５２の外側面にのみ接続したが、これに限らない。すなわち、図１４に示すように、接続部材７２Ｂを、保持枠５２の凹部５２１を塞ぐように曲折させてもよい。
このようにしても、前記実施形態で述べた（１）〜（１１）の効果に加え、以下のような効果がある。
（１２）接続部材７２Ｂが保持枠５２の外側面および端面に接触するから、接続部材７２Ｂの保持枠５２に対する接触面積を大きく確保でき、冷却効率を向上できる。また、接続部材７２Ｂが保持枠５２の端面に係合することになるため、接続部材７２Ｂを確実に保持枠５２に接続できるうえに、液晶パネル５１Ｒ，５１Ｇ，５１Ｂからの光漏れを防止できる。
【００９１】
また、前記実施形態では、接続部材７２を１種類の弾性材料で形成したが、これに限らない。すなわち、図１５（Ａ）〜（Ｄ）に示すように、接続部材７２Ｃ〜７２Ｆを、金属製の板状の本体７２３と、この本体７２３と保持枠５２との間に介在配置される弾性部材７２４とで構成してもよい。
【００９２】
具体的には、図１５（Ａ）に示すように、接続部材７２Ｃでは、本体７２３は長尺板状とされ、弾性部材７２４は、本体７２３のうち保持枠５２およびリブ状部材７１に接触する部分にのみ設けられている。また、図１５（Ｂ）に示すように、接続部材７２Ｄでは、接続部材７２Ｃと異なり、弾性部材７２４は、本体７２３のうち保持枠５２およびリブ状部材７１に接触する側面全面に設けられている。また、図１５（Ｃ）に示すように、接続部材７２Ｅでは、接続部材７２Ｃと異なり、弾性部材７２４は、本体７２３と同一断面形状とされて本体７２３の両端面に設けられている。また、図１５（Ｄ）に示すように、接続部材７２Ｆでは、接続部材７２Ｃと異なり、弾性部材７２４は、本体７２３の保持枠５２およびリブ状部材７１に対する接触する側面前面と、本体７２３の両中央との両方に設けられている。
さらに、上述した接続部材７２Ｃ〜７２Ｆを、図１３に示すように、リブ状部材７１の内側面に接続するとともに、保持枠５２の外側面に接続してもよい。
このようにしても、前記実施形態で述べた（１）〜（１１）の効果に加え、以下のような効果がある。
（１３）弾性部材７２４で保持枠５２およびリブ状部材７１に確実に接続しつつ、本体７２３で高い熱伝導効率を確保できるから、冷却効率をさらに向上できる。
【００９３】
前記実施形態では、台座５４２を弾性部材で形成したが、これに限らず、図１６に示すように、台座５４２Ａを、偏光板５３のサファイア板５３２が接続される金属部材５４３と、この金属部材５４３の両端面に設けられ台座５４２Ａが設けられる端面の面外方向に変形可能な弾性部材５４４とを含んで構成してもよい。
このようにしても、前記実施形態で述べた（１）、（３）〜（１１）の効果に加え、以下のような効果がある。
（１４）台座の高さが高くなっても、弾性部材５４４と剛性の高い金属部材５４３とを適宜組み合わせることにより、外部からの衝撃による弾性ひずみを所定限度内にでき、光学装置４４の耐衝撃性を確実に確保できる。また、金属部材５４３を含んで台座５４２Ａを構成したので、金属部材５４３で高い熱伝導効率を確保できるから、光学装置４４の冷却効率をさらに向上できる。
【図面の簡単な説明】
【図１】本発明の一実施形態に係る光学装置が適用されたプロジェクタを上方から見た全体斜視図。
【図２】前記実施形態に係るプロジェクタの内部構造を表す分解斜視図。
【図３】前記実施形態に係る光学ユニットを上方から見た全体斜視図。
【図４】前記実施形態に係るプロジェクタの光学系の模式図。
【図５】前記実施形態に係るプロジェクタの光学部品用筐体の内部を示す平面図。
【図６】前記実施形態に係るプロジェクタの光学部品用筐体を下方から見た全体斜視図。
【図７】前記実施形態に係る放熱部および接続部材の取付構造を示す斜視図。
【図８】前記実施形態に係る光学装置を上方から見た全体斜視図。
【図９】前記実施形態に係る光学装置の構造を示す分解斜視図。
【図１０】前記実施形態に係るパネル冷却系Ａの冷却流路を示す分解斜視図。
【図１１】前記実施形態に係る光源冷却系Ｂの冷却流路を示す分解斜視図。
【図１２】前記実施形態に係るパネル冷却系Ａおよび光源冷却系Ｂの冷却流路を示す断面図。
【図１３】本発明の変形例に係るリブ状部材および接続部材の取付構造を示す平面図。
【図１４】本発明の別の変形例に係る接続部材および放熱部を示す平面図。
【図１５】本発明のさらに別の変形例に係る接続部材および放熱部を示す平面図。
【図１６】本発明のさらにまた別の変形例に係る光学装置を上方から見た全体斜視図。
【符号の説明】
１…プロジェクタ、４…光学ユニット、４４…光学装置、４７…ライトガイド（光学部品用筐体）、５０…光変調装置、５１Ｒ，５１Ｇ，５１Ｂ…液晶パネル（光変調素子）、５２…保持枠、５２１…凹部、５３…偏光板（基板）、５４…クロスダイクロイックプリズム（色合成光学装置）、５４Ａ…光束入射端面、５４２，５４２Ａ…台座、５４３…金属部材、５４４…弾性部材、５５…スペーサ、７０…放熱部、７１…リブ状部材、７２，７２Ａ〜７２Ｆ…接続部材、５３１…偏光フィルム（光学変換膜）、７２３…本体、７２４…弾性部材
【図１】
2004170512.tif 000003
【図２】
2004170512.tif 000004
【図３】
2004170512.tif 000005
【図４】
2004170512.tif 000006
【図５】
2004170512.tif 000007
【図６】
2004170512.tif 000008
【図７】
2004170512.tif 000009
【図８】
2004170512.tif 000010
【図９】
2004170512.tif 000011
【図１０】
2004170512.tif 000012
【図１１】
2004170512.tif 000013
【図１２】
2004170512.tif 000014
【図１３】
2004170512.tif 000015
【図１４】
2004170512.tif 000016
【図１５】
2004170512.tif 000017
【図１６】
2004170512.tif 000018